(57)【要約】【課題】駆動側及びと従動側のカラーを容易に識別でき、駆動軸及び従動軸に対する組み付け位置を合わせ易くした弾性継手、さらには両カラー間に設けられる穴抜き部に設けた薄膜を車両前側にして組み付けるのも容易な弾性継手を提供する。【解決手段】駆動側カラー１と従動側カラー２とを同心円上に交互に配置し、隣合う駆動側と従動側の両カラー１，２間に繊維コード束３，４を巻き掛け、両カラーと繊維コード束を弾性材５に埋設した弾性継手Ａであり、弾性材５の軸方向一方側面における駆動側カラー１の近傍に識別マーク１０を設け、隣合う駆動側と従動側の両カラー１，２間の弾性材５の部分に、識別マーク１０と同じ側に薄膜９を残存させて穴抜き部８を形成する。【選択図】          図２
2006118653.tif 000002
【特許請求の範囲】
【請求項１】
駆動軸に接続される駆動側カラーと、従動軸に接続される従動側カラーとが、それぞれ複数個、同心円上に交互に配置され、隣合う駆動側カラーと従動側カラーとの間に無端状の繊維コード束が巻き掛けられて、前記カラーと繊維コード束が弾性材に埋設されてなる弾性継手であって、
前記弾性材の軸方向一方側面における前記駆動側カラーの近傍に識別マークが設けられてなることを特徴とする弾性継手。
【請求項２】
隣合う前記駆動側カラーと従動側カラーとの間の前記弾性材の部分に、前記識別マークが存する側の端部に薄膜を残存させて穴抜き部が設けられてなる請求項１に記載の弾性継手。
【請求項３】
前記識別マークが、前記各駆動側カラーの近傍にそれぞれ設けられてなる請求項２に記載の弾性継手。
【請求項４】
前記識別マークが、弾性材と一体形成されてなる請求項２または３に記載の弾性継手。
【請求項５】
前記識別マークが弾性材に一体形成された凸部である請求項４に記載の弾性継手。
【発明の詳細な説明】
【技術分野】
【０００１】
本発明は、主として自動車等において駆動軸と従動軸との間に介設されて、両者間の振動や捩れ等を吸収しながら回転トルクを伝達するのに使用される弾性継手に関するものである。
【背景技術】
【０００２】
自動車のドライブシャフト、プロペラシャフト等の動力伝達部分には、駆動軸から従動軸に回転トルクを伝達するためのカップリングとして、振動減衰機能を持つ弾性継手が使用されている。
【０００３】
この弾性継手としては、下記の特許文献１等にも開示されているように、図４に示す構造のものが公知である。
【０００４】
かかる弾性継手Ａ１は、基本的に、駆動軸に接続される駆動側カラー１０１と、従動軸に接続される従動側カラー１０２とが、それぞれ複数個、同心円上に交互に配列され、隣合った各カラー１０１，１０２間には合成繊維糸等のコードよりなる無端状の繊維コード束１０３，１０４が巻き掛けられ、これらの各カラー１０１，１０２と前記繊維コード束１０３，１０４の周囲がゴムあるいは合成樹脂等の弾性材１０５で被覆されることにより、正面略多角形や円形の環状をなすように形成されている。
【０００５】
通常、前記繊維コード束１０３，１０４は、各駆動側カラー１０１とその回転方向後方側の従動側カラー１０２との間で大きい引張り力が作用するので、各駆動側カラー１０１とその後方側の前記従動側カラー１０２との間に巻き掛けられる駆動側の繊維コード束１０３のコード本数（断面積）が、他方の従動側の繊維コード束１０４のコード本数（断面積）よりも多く設定されている。
【０００６】
そして、前記駆動側及び従動側の各カラー１０１，１０２には、それぞれ強度、耐久性を保持するための鉄等の金属材よりなる内筒部材１０６，１０７が圧入され、該内筒部材１０６，１０７を介して、前記駆動側カラー１０１は駆動軸の端部に、また従動側カラー１０２は従動軸の端部に、それぞれボルト等の締結手段により固定されて使用される。
【０００７】
ところで、前記弾性継手Ａ１の組み付けの際には、前記の繊維ゴート束のコード本数等の関係で、駆動側カラー１０１を駆動軸端部の締結部（図示せず）に対し、また従動側カラーを従動軸端部の締結部（図示せず）に対して組み付け位置を合わせる必要があるが、これらのカラーが弾性材に埋設されている状態であることもあって、その識別は容易ではなく、組み付け時の作業性向上を阻害する結果になっている。
【０００８】
また、前記の隣合う駆動側及び従動側の各カラー１０１，１０２間の弾性材１０５の部分には、ゴム等の弾性材の自由長増大及び冷却効果向上等により耐久性を向上させるための軸方向の穴抜き部１０８が設けられている。この穴抜き部１０８が完全に貫通した穴であると、該穴を通過する風切り音が発生することになり、また穴内部に泥等が詰まることになる。
【０００９】
そのため、前記穴抜き部１０８として、軸方向（厚み方向）の一方側面に該穴を塞ぐ薄膜を残存させることを考えたものであるが、車両への組み付けの際に、前記薄膜を車両前方側に向けるようにしないと、前記穴抜き部が前方に向かって開口した状態になり、このために風切り音が発生するばかりか、泥等の汚れが前記穴抜き部内に入り込んで詰まりを生じ、弾性継手としての特性を低下させ、耐久性を損なう虞がある。従って、前記薄膜を車両前方に向けるように組み付けることが必要であり、この組み付け作業を容易にするために前記薄膜が設けられる前面を容易に確認できることが重要になる。
【特許文献１】特開２００３−１２０７１２号公報
【発明の開示】
【発明が解決しようとする課題】
【００１０】
本発明は、上記に鑑みてなしたものであり、交互に配置される駆動側カラーと従動側カラーを容易に識別でき、前記両カラーの駆動軸及び従動軸に対する組み付け位置を合わせ易くした弾性継手、さらには前後面を容易に確認できて、前記駆動側と従動側の両カラー間に設けられる穴抜き部に設けた薄膜を車両前側にして組み付けるのも容易な弾性継手を提供するものである。
【課題を解決するための手段】
【００１１】
上記の課題を解決する本発明は、駆動軸に接続される駆動側カラーと、従動軸に接続される従動側カラーとが、それぞれ複数個、同心円上に交互に配置され、隣合う駆動側カラーと従動側カラーとの間に無端状の繊維コード束が巻き掛けられて、前記カラーと繊維コード束が弾性材に埋設されてなる弾性継手であって、前記弾性材の軸方向一方側面における前記駆動側カラーの近傍に識別マークが設けられてなることを特徴とする。特に好ましくは、隣合う前記駆動側カラーと従動側カラーとの間の前記弾性材の部分に、前記識別マークが存する側の端部に薄膜を残存させて穴抜き部が設けられてなるものである。
【００１２】
この弾性継手によれば、これを車両のドライブシャフトやプロペラシャフト等の動力伝達部分の駆動軸と従動軸との両者に締結するように組み付ける際、前記識別マークの有無により該弾性継手の前後面を確認できるとともに、該識別マークにより駆動側カラーの位置を一目で確認できて、交互に配置されている駆動側カラーと従動側側カラーを容易に識別できる。したがって、前記識別マークの側を車両前方に向けた状態で、前記駆動側カラーを駆動軸の端部に対し、また従動側カラーを従動軸の端部に対し容易に位置合わせでき、駆動側カラーを駆動軸に対し確実に締結できる。しかも、隣合うカラー間の弾性材の部分に有する穴抜き部において、前記識別マークを有する側の端部に該穴を塞ぐ薄膜が設けられている場合は、前記のように識別マークを車両前方に向けることにより、前記薄膜についても車両前側に位置することになり、そのため風切り音や泥等の汚れ詰まりの発生を防止できることにもなる。
【００１３】
特に、前記識別マークとして、前記各駆動側カラーの近傍にそれぞれ設けられてなるもの場合、各駆動側カラーを容易に識別できる。また、前記識別マークが弾性材と一体形成されてなるものの場合、成型後に該マークを付設するための特別の加工を必要とせず、型成型により容易に形成することができ、また前記識別マークが消滅することもない。
【００１４】
さらに、前記識別マークが弾性材に一体形成された凸部である場合、前記識別マークの確認が容易で手触りでも確認でき、薄暗い場所での組み付け時の駆動側カラーの識別も容易に可能になる。
【発明の効果】
【００１５】
本発明の弾性継手によれば、使用時に車両前方側に向けるべき軸方向一方側面において駆動側カラーの近傍に識別マークをを設けたことにより、その前後面の確認、特には前面を容易に確認でき、前記駆動側カラーと駆動軸の端部との組み付け位置を合わせ易く、組み付けのための作業性を向上できる。しかも、前記識別マークと同じ側に穴抜き部を塞ぐ薄膜を設定しておくことにより、隣合うカラー間の弾性材の部分に穴抜き部を有するにも拘わらず、風切り音の発生、泥等による汚れ詰まりの発生を抑制できることになる。
【発明を実施するための最良の形態】
【００１６】
次に本発明の実施の形態を図面に示す実施例に基づいて説明する。
【００１７】
図１は本発明に係る弾性継手Ａの実施例を示す一部を欠截した正面図、図２は前図のII−II線の断面図、図３は図１のIII−III線の断面図である。
【００１８】
図において、１は駆動軸に接続される円筒状の駆動側カラー、２は従動軸に接続される円筒状の従動側カラーである。これらの駆動側カラー１および従動側カラー２は、それぞれ複数個、例えば図のように３個づつが、同心円上に交互に主として等間隔に配置されている。これらの各カラー１，２のうち、隣合う前記駆動側カラー１と前記従動側カラー２との間には、ポリエステル繊維等の合成繊維よりなる繊維コードを多層多列にループ状に巻回することにより形成した補強のための無端状の繊維コード束３、４が巻き掛けられている。
【００１９】
通常、車両発進等による駆動開始時や通常の駆動回転時においては、各駆動側カラー１と、その回転方向後方側、つまり該継手の駆動時の回転方向（図１中の矢印Ｘ）における後方側の従動側カラー２との間で大きい引張り力が作用するので、各駆動側カラー１とその後方側の前記従動側カラー２との間に巻き掛けられる駆動側の繊維コード束３のコード本数つまりコード束全体の断面積が、他方の従動側の繊維コード束４のコード本数つまりコード束全体の断面積よりも大きく設定されている。図では、駆動側になる前記繊維コード束３は各カラーの中央部に、従動側になる前記繊維コード束４は各カラーの両端部にそれぞれ区分して巻き掛けられており、そのため前記各カラー１，２の外周には前記両繊維コード束３，４を区分して保持するためのフランジ１ａ，２ａが設けられている。
【００２０】
前記の駆動側カラー１および従動側カラー２は、通常、アルミニウムやその合金等のアルミ系金属その他の金属材を用いて一体に形成されている。該駆動側カラー１および従動側カラー２には、それぞれ内周に鉄等の金属よりなる内筒部材６および７が締り嵌め状態に圧入されており、該内筒部材６，７が駆動軸の端部および従動軸の端部に接続されるように設けられている。
【００２１】
前記各駆動側カラー１及び各従動側カラー２と、駆動側の前記各繊維コード束３及び従動側の各繊維コード束４は、少なくとも前記各カラー１，２の内孔部、つまりは前記内筒部材６、７の内孔部が外部に露出するように、ゴムあるいは合成樹脂等よりなる弾性材５の成形（ゴム材の場合は加硫成形）により、該弾性材５内に埋設されており、断面略矩形で正面よりみて略多角形あるいは略円形の環状をなすように一体に形成されている。
【００２２】
前記の隣合う各カラー１，２間の弾性材５の部分には、該弾性材５の弾性変形に対する表面の自由長を稼ぎかつ冷却効果を向上させることで耐久性を向上させるための継手軸方向（厚み方向）の穴抜き部８が、図２及び図３に示すように軸方向一端側に薄膜９を残存させて形成されている。そして、本発明の場合には、前記薄膜９を有する側と同じ軸方向一端側面には、前記弾性材５における前記駆動側カラー１の近傍に、例えば弾性材５の成形と一体に成形される凸部等の識別マーク１０が形成されており、駆動側カラー１の識別と同時に、該識別マーク１０の側つまりは前記薄膜９の側を、車両前側（図２及び図３中の矢印Ｙ）にして組み付け使用するための目印にできるように設けられている。
【００２３】
前記の識別マーク１０は、全ての駆動側カラー１の近傍に設けておくのが好ましいが、一つの駆動側カラー１の近傍に設けておくだけでもよく、この場合にも、交互に配置される駆動側カラー１と従動側カラー２とを容易に識別することができる。
【００２４】
前記の識別マーク１０は、前記弾性材５の成形後の加工手段により、前記駆動側カラー１の近傍に付設することも可能であるが、前記弾性材５の成形と同時に形成しておくのが望ましい。この識別マーク１０は、図のような凸部のほか、凹部であってもよく、またその形状は図のような円形をなすものには限らず、角形あるいは点や線状の凸部や凹部でもよい。実施上は、図のように前記各駆動側カラー１の近傍に弾性材５と一体に成形される凸部が、内部の繊維コード束３または４に影響を与えずに形成でき、しかも視覚的に容易に確認できるだけでなく、手触りによっても確認でき好ましい。
【００２５】
上記の弾性継手Ａによれば、これを車両のドライブシャフトやプロペラシャフト等の動力伝達部分の駆動軸と従動軸（図示せず）との両者に締結するように組み付ける際、前記識別マーク１０の有無により該弾性継手Ａの前後面を確認できるとともに、該識別マーク１０により駆動側カラー１の位置を一目で確認できて、交互に配置されている駆動側カラー１と従動側側カラー２を容易に識別できる。したがって、前記識別マーク１０の側を車両前方に向けた状態で、前記駆動側カラー１を駆動軸の端部に対し、また従動側カラー２を従動軸の端部に対し容易に位置合わせでき、駆動側カラー１を駆動軸に対し確実に締結できる。しかも、隣合うカラー１，２間の弾性材５の部分に有する穴抜き部８において、前記識別マーク１０を有する側の端部に該穴を塞ぐ薄膜９が設けられている場合は、前記のように識別マーク１０を車両前方に向けることにより、前記薄膜９についても車両前側に位置することになり、そのため風切り音や泥等の汚れ詰まりの発生を防止できることにもなる。
【００２６】
なお、上記実施例においては、駆動側カラー１および従動側カラー２に、それぞれ別体の内筒部材６、７を圧入して使用する場合を示したが、このカラー１，２と内筒部材６，７とを一体形成して実施することも可能である。
【産業上の利用可能性】
【００２７】
本発明は、自動車のドライブシャフト、プロペラシャフト等の動力伝達部分において、駆動軸から従動軸に回転トルクを伝達するための振動減衰機能を持つカップリングとして特に好適に使用できる。
【図面の簡単な説明】
【００２８】
【図１】本発明に係る弾性継手の第１の実施例を示す一部を欠截した正面図である。
【図２】前図のII−II線の断面図である。
【図３】図１のIII−III線の断面図である。
【図４】従来の弾性継手の１例を示す略示正面図である。
【符号の説明】
【００２９】
Ａ    弾性継手
１    駆動側カラー
２    従動側カラー
３，４  繊維コード束
５    弾性材
６，７  内筒部材
１ａ，２ａ  フランジ
８    穴抜き部
９    薄膜
１０  識別マーク
【図１】
2006118653.tif 000003
【図２】
2006118653.tif 000004
【図３】
2006118653.tif 000005
【図４】
2006118653.tif 000006